(57)【要約】      （修正有）【課題】異常、又は異常らしき事態が発生したときに、過去の同様の事例に対する対処を迅速に知ることができるようにする。【解決手段】サーバー機１は、プラントの状態を示す数値データ６、９を格納する数値データデータベース２１と、文書ファイル７を格納する文書管理データベース２３と、数値データ６、９と文書ファイル７とを関連付けるインデックス情報を格納するインデックスデータベース２５とを含む。メンテナンス端末２は、ユーザによって指定される検索条件を含む第１検索要求１１をサーバー機１に送信する。サーバー機１は、数値データ６、９のうち、検索条件を満足する条件満足数値データを特定し、文書ファイル７のうちから条件満足数値データに関連付けられた関連文書ファイルをインデックス情報に基づいて特定し、特定された関連文書ファイルをメンテナンス端末２に出力する。【選択図】  図１
2004302920.tif 000002
【特許請求の範囲】
【請求項１】
サーバー機と、
前記サーバー機に接続されるメンテナンス端末
とを備え、
前記サーバー機は、
プラントの状態を示す数値データを格納する数値データデータベースと、
文書ファイルを格納する文書管理データベースと、
前記数値データと前記文書ファイルとを関連付けるインデックス情報を格納するインデックスデータベース
とを含み、
前記メンテナンス端末は、ユーザによって指定される検索条件を含む第１検索要求を前記サーバー機に送信し、
前記サーバー機は、前記数値データのうち、前記検索条件を満足する条件満足数値データを特定し、前記文書ファイルのうちから前記条件満足数値データに関連付けられた関連文書ファイルを前記インデックス情報に基づいて特定し、前記関連文書ファイルを前記メンテナンス端末に出力する
プラントメンテナンス支援システム。
【請求項２】
請求項１に記載のプラントメンテナンス支援システムにおいて、
前記メンテナンス端末は、ユーザによって指定される検索キーを含む第２検索要求を前記サーバー機に送信し、
前記サーバー機は、前記文書管理データベースに格納された前記文書ファイルのうちから前記検索キーに適合する適合文書ファイルを検索し、更に、前記数値データのうち前記適合文書ファイルに関連付けられた関連数値データを前記数値データデータベースから取得して、前記メンテナンス端末に出力する
プラントメンテナンス支援システム。
【請求項３】
プラントの状態を示す数値データを格納する数値データデータベースと、文書ファイルを格納する文書管理データベースと、前記数値データと前記文書ファイルとを関連付けるインデックス情報を格納するインデックスデータベースとを生成するステップと、
ユーザによって指定される検索条件を含む第１検索要求を受けるステップと、前記数値データのうち、前記検索条件を満足する条件満足数値データを特定するステップと、
前記文書ファイルのうちから前記条件満足数値データに関連付けられた関連文書ファイルを前記インデックス情報に基づいて特定するステップと、
前記関連文書ファイルを出力するステップ
とをコンピュータに実行させる
コンピュータプログラム。
【請求項４】
請求項３に記載のコンピュータプログラムにおいて、
ユーザによって指定される検索キーを含む第２検索要求を受けるステップと、前記文書管理データベースに格納された前記文書ファイルのうちから前記検索キーに適合する適合文書ファイルを検索するステップと、
前記数値データのうち前記適合文書ファイルに関連付けられた関連数値データを前記数値データデータベースから取得して出力するステップ
とを前記コンピュータに実行させる
コンピュータプログラム。
【発明の詳細な説明】
【０００１】
【発明の属する技術分野】
本発明は、プラントメンテナンス支援システムに関する。
【０００２】
【従来の技術】
プラントのメンテナンス業務においては、多くの情報を取り扱う必要がある。例えば、プラントの運転中に、プラントの各部に設けられたセンサーから得られる実データ、該実データを解析・分析することによって得られる解析データ、プラントの各部の構造が描かれたＣＡＤ図面データ、プラントの各部を撮影して得られた画像データ、運転状況を報告するための運転状況報告書類、異常の発生を報告するための異常発生報告書類は、メンテナンス業務において取り扱われる典型的な情報である。
【０００３】
メンテナンス業務において取り扱われる様々な情報を体系的に一元管理するためのプラントメンテナンス支援システムが、特許文献１に開示されている。当該プラントメンテナンス支援システムは、端末と、該端末にネットワークを介して接続されたサーバーとを備えている。該サーバーは、プラント設備の配置図が格納されたＣＡＤ図面データベースと、プラント設備の各機器の属性情報が格納されるＣＡＤ属性情報データベースと、該配置図がブラウザで表示可能になるようにデータ変換されたベクトルデータが格納されるブラウザ表示図面データベースと、プラント設備の各機器の管理情報が格納される管理情報データベースと、プラント設備の機器の運転情報が格納される運転情報データベースとを備えている。これらの各データベースにおいては、各機器のデータが相互に関連付けられ、これにより、各機器と、その管理情報及び運転情報とが一元的に管理されている。
【０００４】
メンテナンス業務において重要な事項の一つは、異常、又は異常らしき事態が発生したときに、同様の事例に対して過去にどのような対処をしたかを迅速に知ることである。プラントにおいて発生する異常、又は異常らしき事態の多くは、過去にも発生したものである。従って、同様の事例に対して過去にどのような対処をしたかを迅速に知ることができれば、適切な対処を迅速に行うことができて便利である。
【０００５】
メンテナンス業務において重要な事項の他の一つは、運転状況報告書類や異常発生報告書類に例示される様々な報告文書の記述が、どのような根拠に基づいて作成されているかを容易に知ることができることである。例えば、運転状況報告書類に正常である旨の記述がなされているとき、その判断の根拠となるデータや、現場の写真が容易に取り出せることが好適である。
【０００６】
メンテナンス業務において重要な事項の更に他の一つは、プラントの状態を分析するために必要なデータが一元的に管理されていることである。プラントは、その状態を把握するために、その各部にセンサーが設けられ、そのセンサーからのデータをより有効に活用するために、更に、そのセンサーの出力が解析・分析ツールによって解析・分析されることがある。その解析・分析の条件を決定する解析定数は、最適に定められる必要がある。このためには、解析定数を最適化するのに必要な情報を一元的に管理することが好適である。
【０００７】
プラントメンテナンス支援システムは、異常、又は異常らしき事態が発生したときに、過去の同様の事例に対する対処を迅速に知ることができるように構成されていることが望まれる。
【０００８】
更に、プラントメンテナンス支援システムは、様々な報告文書の記述が、どのような根拠に基づいて作成されているかを容易に知ることができるように構成されていることが望まれる。
【０００９】
更に、プラントメンテナンス支援システムは、プラントの状態を分析するために必要なデータが一元的に管理されていることが望まれる。
【００１０】
【特許文献１】
特開２００２−３４１９３０号公報
【００１１】
【発明が解決しようとする課題】
本発明の目的は、異常、又は異常らしき事態が発生したときに、過去の同様の事例に対する対処を迅速に知ることができるように構成されたプラントメンテナンス支援システムを提供することにある。
本発明の他の目的は、異常、又は異常らしき事態が発生したときに、過去の同様の事例に対する対処を迅速に知ることができると同時に、様々な文書の記述が、どのような根拠に基づいて作成されているかを容易に知ることができるように構成されているプラントメンテナンス支援システムを提供することにある。
本発明の更に他の目的は、プラントの状態を分析するために必要なデータが一元的に管理するプラントメンテナンス支援システムを提供することにある。
【００１２】
【課題を解決するための手段】
上記目的を達成するための手段が以下に記述される。その手段に含まれる技術的事項には、［発明の実施の形態］の記載で使用される番号・符号が付記され、これにより、［特許請求の範囲］の記載と［発明の実施の形態］の記載との対応関係が明確にされている。ただし、付記された番号・符号は、［特許請求の範囲］に記載されている発明の技術的範囲の解釈に用いてはならない。
【００１３】
本発明によるプラントメンテナンス支援システム（１００）は、サーバー機（１）と、サーバー機（１）に接続されるメンテナンス端末（２）とを備えている。サーバー機（１）は、プラントの状態を示す数値データ（６、９）を格納する数値データデータベース（２１）と、文書ファイル（７）を格納する文書管理データベース（２３）と、数値データ（６、９）と文書ファイル（７）とを関連付けるインデックス情報を格納するインデックスデータベース（２５）とを含む。メンテナンス端末（２）は、ユーザによって指定される検索条件を含む第１検索要求（１１）をサーバー機（１）に送信する。サーバー機（１）は、数値データ（６、９）のうち、検索条件を満足する条件満足数値データを特定し、文書ファイル（７）のうちから条件満足数値データに関連付けられた関連文書ファイルをインデックス情報に基づいて特定し、特定された関連文書ファイルをメンテナンス端末（２）に出力する。
【００１４】
このようなプラントメンテナンス支援システム（１００）は、プラントの状態を示す数値データ（６、９）のうちから検索条件を満足するものを検索し、更に、検索された数値データ（６、９）に関連付けられた関連文書ファイルを取り出すことができる。このようなプラントメンテナンス支援システム（１００）の機能は、異常、又は異常らしき事態が発生したときに、過去の同様の事例に対する対処を迅速に知ることを容易にする。
【００１５】
数値データデータベース（２１）に登録される数値データは、プラントの各部に設けられたセンサーを用いて取得された実データ（６）と、その実データ（６）を解析することによって得られた解析データ（９）とを含み得る。この場合、解析データ（９）の生成に使用された解析定数を示す解析定数データ（１０）が数値データデータベース（２１）に登録されることが好適である。より適切な解析を行うためには、解析定数データ（１０）に示されている解析定数は、実データ（６）及び解析データ（９）に応じて最適化される必要がある。解析定数データ（１０）が実データ（６）及び解析データ（９）とともに数値データデータベース（２１）に登録される構成は、解析定数データ（１０）の最適化に必要なデータを一元管理することを可能にし、好ましい。
【００１６】
サーバー機（１）が、更に、プラントの図面や画像のようなイメージデータファイル（８）を格納するイメージデータフォルダを含み、そのイメージデータファイル（８）が、インデックス情報によって数値データ（６、９）と文書ファイル（７）とに関連付けられている場合には、サーバー機（１）は、イメージデータファイル（８）のうちから関連文書ファイルに関連付けられた関連イメージデータファイルをインデックス情報に基づいて特定し、関連イメージデータファイルをメンテナンス端末（２）に出力するように構成されていることが好適である。このような構成は、ユーザが取り出された関連文書ファイルに関連するイメージデータファイル（８）を参照して、該関連文書ファイルの記述の妥当性を考えることを可能にし、メンテナンス業務において有用である。
【００１７】
当該プラントメンテナンス支援システムは、更に、文書ファイル（７）から数値データ（６、９、１０）を参照可能に構成されていることが好適である。より詳細には、メンテナンス端末（２）は、ユーザによって指定される検索キーを含む第２検索要求（１１）をサーバー機（１）に送信し、サーバー機（１）は、文書管理データベース（２３）に格納された文書ファイル（７）のうちから検索キーに適合する適合文書ファイルを検索し、更に、数値データデータベース（２１）に登録された数値データ（６、９、１０）のうちから適合文書ファイルに関連付けられた関連数値データを数値データデータベース（２１）から取得して、メンテナンス端末（２）に出力するように構成されていることが好適である。
【００１８】
このような構成は、文書ファイル（７）に格納された文書の記述が、どのようなデータを根拠として作成されているかをユーザが知ることを容易にする。
【００１９】
更に、サーバー機（１）が、プラントの図面や画像のようなイメージデータファイル（８）を格納するイメージデータフォルダを含み、そのイメージデータファイル（８）が、インデックス情報によって数値データ（６、９）と文書ファイル（７）とに関連付けられている場合には、サーバー機（１）は、イメージデータファイル（８）のうちから適合文書ファイルに関連付けられた関連イメージデータファイルをインデックス情報に基づいて特定し、関連イメージデータファイルをメンテナンス端末（２）に出力するように構成されていることが好適である。
【００２０】
インデックス情報としては、典型的には、インデックスデータベース（２５）の一のレコードに記録された、数値データ（６、９、１０）、及び文書ファイル（７）、イメージデータファイル（８）のロケーションが使用され得る。
【００２１】
インデックス情報又は文書ファイル（７）に関連属性が付加され、この関連属性を用いてサーバー機（１）に保存されている様々な情報の検索が行われることは好適である。例えば、インデックス情報に関連属性が付加される場合には、下記のようにして関連属性が使用され得る。検索キーとして所望の関連属性が指定され、該所望の関連属性を含む第３検索要求（１１）がサーバー機（１）に送信される。サーバー機（１）は、その関連属性が関連付けられた関連文書ファイルをインデックス情報に基づいて特定し、特定された関連文書ファイルをメンテナンス端末（２）に出力する。この場合、該関連文書ファイルに関連付けられた他の数値データ（６、９、１０）、イメージデータファイル（８）が取り出されてメンテナンス端末（２）に出力されることが好ましい。
【００２２】
数値データデータベース（２１）、イメージデータフォルダ（２２）、文書管理データベース（２３）、及びインデックスデータベース（２５）への様々なデータの登録は、下記手順で行われることが好ましい。数値データ（６、９、１０）が、数値データデータベース（２１）に登録される。更に、登録しようとする文書ファイル（７）が指定され、更に、その文書ファイル（７）に関連する数値データ（６、９、１０）とイメージデータファイル（８）とが指定される。更に、関連属性が指定される。更に、文書ファイル（７）と数値データ（６、９、１０）とイメージデータファイル（８）とのロケーションと、該関連属性とがインデックスデータベース（２５）の一のレコードに登録される。そのレコードに登録されているロケーションがインデックス情報として使用される。その後、文書ファイル（７）とイメージデータファイル（８）とが、それぞれのロケーションに保存される。これにより、数値データ（６、９、１０）、と、文書ファイル（７）と、イメージデータファイル（８）とは、相互に関連付けられ、更に、そのうちの一から他を参照可能に保存される。
【００２３】
本発明によるコンピュータプログラム（２４、２６）は、プラントの状態を示す数値データ（６、９）を格納する数値データデータベース（２１）と、文書ファイル（７）を格納する文書管理データベース（２３）と、数値データ（６、９）と文書ファイル（７）とを関連付けるインデックス情報を格納するインデックスデータベース（２５）とを生成するステップと、
ユーザによって指定される検索条件を含む第１検索要求（１１）を受けるステップと、
数値データ（６、９）のうち、検索条件を満足する条件満足数値データを特定するステップと、
文書ファイル（７）のうちから条件満足数値データに関連付けられた関連文書ファイルをインデックス情報に基づいて特定するステップと、
関連文書ファイルを出力するステップ
とをコンピュータ（１）に実行させる。このようなコンピュータプログラム（２４、２６）は、コンピュータ（１）を、上記のプラントメンテナンス支援システムに含まれるサーバー機（１）として機能させる。
【００２４】
当該コンピュータプログラムは、
ユーザによって指定される検索キーを含む第２検索要求（１１）を受けるステップと、
文書管理データベース（２３）に格納された文書ファイル（７）のうちから検索キーに適合する適合文書ファイルを検索するステップと、
数値データ（６、９）のうち適合文書ファイルに関連付けられた関連数値データを数値データデータベース（２１）から取得して出力するステップ
とをコンピュータ（１）に実行させることが好ましい。
【００２５】
【発明の実施の形態】
以下、添付図面を参照しながら、本発明によるプラントメンテナンス支援システムの実施の一形態を説明する。
【００２６】
（プラントメンテナンス支援システム全体の構成）
本発明の実施の一形態では、図１に示されているように、プラントメンテナンス支援システム１００が、サーバー機１とメンテナンス端末２とを備えている。サーバー機１は、メンテナンス業務において取り扱われる様々な情報を一元管理して保存する。メンテナンス端末２から所望の検索キー（検索条件）を含む検索要求１１が与えられると、サーバー機１は、サーバー機１に保存されているデータをその検索要求１１に応答して検索し、検索によって得られた所望の情報１２をメンテナンス端末２に送信する。
【００２７】
サーバー機１は、プラント監視システム３と、文書／イメージデータ生成端末４と、解析・分析システム５と、通信可能に接続されている。プラント監視システム３は、プラントの各部に設けられた各種のセンサーと、それらのセンサーの出力信号を処理する処理装置からなる。プラント監視システム３は、プラントの各部の測定を行い、プラントの状態を示す実データ６を取得する。
【００２８】
文書／イメージデータ生成端末４は、プラントの現場において文書ファイル７、図面データファイル８ａ、及び画像データファイル８ｂを作成するために使用される。文書ファイル７は、何らかの事態の発生（又は不発生）をプラントの管理者に知らせるための書類を格納するファイルである。文書ファイル７としては、運転状況を報告するための運転状況報告書類、異常の発生を報告するための異常発生報告書類を格納するファイルが例示される。図面データファイル８ａは、プラントに関連する図面のデータを格納するファイルである。図面データファイル８ａとしては、プラントを構成する機器の設計図を格納しているファイルが例示される。画像データファイル８ｂは、プラントに関連して作成された画像のデータを格納するファイルである。図面データファイル８ｂとしては、異常が発生している機器をデジタルカメラで撮影して得られた写真のデータを格納したファイルが例示される。図面データファイル８ａと画像データファイル８ｂとは、いずれもイメージデータを格納するファイルであり、従って、これらの２つは、以後、区別することなくイメージデータファイル８と記載されることがある。
【００２９】
文書／イメージデータ生成端末４としては、通常のＯＡ用コンピュータ、ＣＡＤ（Ｃｏｍｐｕｔｅｒ  Ａｉｄｅｄ  Ｄｅｓｉｇｎ）に使用されるコンピュータが使用可能である。更に、上述のメンテナンス端末２が、文書／イメージデータ生成端末４として兼用されることが可能である。
【００３０】
解析・分析システム５は、プラント監視システム３によって取得された実データ６を解析、又は分析して解析データ９を生成する。解析データ９の生成にあたり、解析・分析システム５は、解析、分析の過程で使用される解析定数を示す解析定数データ１０を生成し、解析データ９に添付する。解析・分析システム５としては、データ解析・分析用のソフトウエアが搭載されたワークステーションその他のコンピュータが使用可能である。
【００３１】
以下において、プラント監視システム３、文書／イメージデータ作成端末４、及び解析・分析システム５によって生成される実データ６、文書ファイル７、イメージデータファイル８、解析データ９、及び解析定数データ１０は、それぞれを区別することなくオブジェクトと呼ばれることがある。
【００３２】
プラント監視システム３、文書／イメージデータ作成端末４、及び解析・分析システム５によって生成されたオブジェクトは、サーバー機１に供給される。
【００３３】
サーバー機１は、実データ６、文書ファイル７、イメージデータファイル８、解析データ９、及び解析定数データ１０を関連付けて保存するデータベースシステムを搭載している。より具体的には、サーバー機１は、数値データＤＢ（データベース）２１、イメージデータフォルダ２２、文書管理ＤＢ２３、一括登録モジュール２４、インデックスＤＢ２５、及び一括検索モジュール２６を搭載している。
【００３４】
数値データＤＢ２１は、実データ６、解析データ９、及び解析定数データ１０を保存するデータベースである。実データ６のそれぞれ、解析データ９のそれぞれ、解析定数データ１０のそれぞれには、それらを特定可能にするためのデータインデックス（データＩＤ）が付される。実データ６、解析データ９、及び解析定数データ１０は、それに付されたインデックスとともに数値データＤＢ２１に保存される。
【００３５】
解析定数データ１０が実データ６及び解析データ９とともに数値データデータベース２１に登録される構成は、実データ６のより適切な解析及び分析を実現する上で好ましい。より適切な解析を行うためには、解析定数データ１０に示されている解析定数は、実データ６及び解析データ９に応じて最適化される必要がある。解析定数データ１０の最適化に使用される実データ６及び解析データ９が、解析定数データ１０とともに数値データデータベース２１に登録される構成は、解析定数データ１０の最適化に必要なデータを一元管理することを可能にし、好ましい。
【００３６】
イメージデータフォルダ２２は、イメージデータファイル８（即ち、図面データファイル８ａと画像データファイル８ｂ）を保存するフォルダである。
【００３７】
文書管理ＤＢ２３は、文書ファイル７を保存するデータベースである。メンテナンス業務に関連する様々な文書（例えば、運転状態報告書類、異常発生報告書類）は、文書管理ＤＢ２３に一元管理される。
【００３８】
一括登録モジュール２４とインデックスＤＢ２５とは、実データ６、文書ファイル７、イメージデータファイル８、解析データ９、及び解析定数データ１０のサーバー機１への保存に関与する。
【００３９】
一括登録モジュール２４は、実データ６、文書ファイル７、イメージデータファイル８、解析データ９、及び解析定数データ１０を、互いの関連性を保持しながら数値データデータベース２１、イメージデータフォルダ２２、及び文書管理データベース２３に登録するコンピュータプログラムである。サーバー機１は、一括登録モジュール２４を実行してこれらのオブジェクトの登録を行う。
【００４０】
インデックスＤＢ２５は、実データ６、文書ファイル７、イメージデータファイル８、解析データ９、及び解析定数データ１０相互の関連性を示すインデックス情報を保存するデータベースである。関連性のある一組のオブジェクトに対して、一つのレコードがインデックスＤＢ２５に用意され、そのレコードにインデックス情報が格納される。
【００４１】
インデックス情報は、各オブジェクトの所在を示すロケーションを含んでいる。オブジェクトのうち、実データ６、解析データ９、及び解析定数データ１０の所在を示すロケーションとしては、それらに付加されて数値データＤＢ２１に格納されるデータＩＤが使用される。オブジェクトのうち、文書ファイル７、イメージデータファイル８の所在を示すロケーションとしては、例えば、パス名を含んだファイル名が使用される。ファイル名がロケーションとして使用されることは、ファイル名の拡張子から、該ファイル名によって特定されるオブジェクトの種類（即ち、該ファイル名によって特定されるオブジェクトが、実データ６、文書ファイル７、イメージデータファイル８、解析データ９、及び解析定数データ１０のいずれであるか）を把握可能な点で好適である。
【００４２】
オブジェクト（即ち、実データ６、文書ファイル７、イメージデータファイル８、解析データ９、及び解析定数データ１０）がサーバー機１に与えられると、一括登録モジュール２４は、これらのオブジェクトのロケーション（保存先）を決定し、定められたロケーションに保存する。更に、一括登録モジュール２４は、該オブジェクトのロケーションを含むインデックス情報を生成し、生成したインデックス情報をインデックスＤＢ２５に登録する。
【００４３】
インデックス情報には、関連属性が付加される。関連属性は、ユーザによって任意に決定可能なテキストデータであり、ユーザが一組のオブジェクトの関連性を把握することを容易にするために用意される。関連属性としては、関連性を有する一組のオブジェクトの特徴を示すキーワード文が登録される。例えば、ある一組のオブジェクトが、ある異常の発生に関するものである場合、その異常の種類、及び発生日を示すテキストデータが関連属性として登録される。関連属性が、プラントの運用に合わせて規定された規則に従って決定されて登録されていれば、ユーザは、関連属性を参照することにより、その関連属性に関連する一組のオブジェクトの内容の概要を容易に知ることができる。関連属性とインデックス情報とは、インデックスＤＢ２５の同一のレコードに保存され、これにより、関連属性とインデックス情報とが関連付けられる。
【００４４】
一括検索モジュール２６は、メンテナンス端末２によって与えられる検索要求１１に応答して数値データデータベース２１、イメージデータフォルダ２２、文書管理データベース２３を検索し、該検索によって取得された各種のオブジェクトをメンテナンス端末２に送信するコンピュータプログラムである。
【００４５】
ただし、一括検索モジュール２６は、検索要求１１に含まれる検索キーに適合するオブジェクトのみを取得して表示するのではない。一括検索モジュール２６は、検索要求１１に含まれる検索キーに適合するオブジェクト（検索キー適合オブジェクト）を取得し、更に、該検索キー適合オブジェクトに関連する他のオブジェクト（即ち、検索キー適合オブジェクトに関連する実データ６、文書ファイル７、イメージデータファイル８、解析データ９、及び解析定数データ１０）を取得する。
【００４６】
検索キー適合オブジェクトに関連する他のオブジェクトの取得は、インデックスＤＢ２５を用いて行われる。一括検索モジュール２６は、検索キー適合オブジェクトを取得した後、該検索キー適合オブジェクトと関連性を有する他のオブジェクトを、インデックスＤＢ２５に保存されているインデックス情報を用いて特定する。一括検索モジュール２６は、そのインデックス情報によって特定される他のオブジェクトを数値データＤＢ２１、イメージデータフォルダ２２、及び文書管理ＤＢ２３から取り出す。
【００４７】
メンテナンス端末２は、ユーザの操作に応答してサーバー機１にアクセスするために使用される。第１に、メンテナンス端末２は、ユーザから検索キーが入力され、更に、所定の操作が行われると、該検索キーを含む検索要求１１をサーバー機１に送信する。更に、メンテナンス端末２は、検索要求１１に応答して一括検索モジュール２６によって取り出されたオブジェクトをその表示画面に表示する。
【００４８】
メンテナンス端末２は、更に、解析・分析システム５に接続されており、解析・分析システム５にアクセス可能である。ユーザは、メンテナンス端末２に表示されたオブジェクト（特に、解析データ９及び解析定数データ１０）から解析・分析システム５で使用されている解析定数その他のその他の解析・分析条件が妥当でないと判断した場合、メンテナンス端末２から解析・分析システム５にアクセスすることにより、解析・分析システム５が使用する解析定数、その他の解析・分析条件を変更することができる。
【００４９】
（プラントメンテナンス支援システムの動作）
図２は、一括登録モジュール２４の機能を示すファンクションダイアグラムであり、図３は、一括登録モジュール２４を使用して各種のオブジェクトを登録するためのプラントメンテナンス支援システムの動作を示すフローチャートである。図２に示されているように、一括登録モジュール２４は、プラント監視システム３及び解析・分析システム５によって取得され、又は生成された実データ６、解析データ９、及び解析定数データ１０を、逐次に数値データＤＢ２１に登録する（ステップＳ０１）。以下において、実データ６、解析データ９、及び解析定数データ１０は、それらを区別することなく、単に、数値データと記載することがある。
【００５０】
更に、一括登録モジュール２４は、数値データＤＢ２１に登録された数値データからデータシートファイル１３を作成する（ステップＳ０２）。データシートファイル１３には、数値データＤＢ２１に登録された数値データから抽出されたデータ、及び／又は、該数値データに対してデータ処理を行うことによって生成されたデータが記述される。データシートファイル１３としては、典型的には、Ｅｘｃｅｌのファイル（Ｅｘｃｅｌは、米国マイクロソフト社の登録商標）が使用され、この場合、データシート１３の作成は、Ｅｘｃｅｌマクロによって行われることが可能である。
【００５１】
データシートファイル１３には、それに記述されているデータと、そのデータの基礎になっている数値データとを対応付けるリンク１３ａが埋め込まれる。例えば、数値データＤＢ２１に登録された数値データＡ、ＢからデータＣが生成され、生成されたデータＣがデータシート１３に記述される場合には、データシートファイル１３には、データＣと数値データＡ、Ｂとを対応付けるリンクが埋め込まれる。
【００５２】
数値データＤＢ２１に登録された数値データから抽出又は生成されたデータには、定型コメントその他の所定の必要なテキストが付加され得る。所定の必要なテキストが付加された該データは、運転状況報告書類、異常発生報告書類などの書類として使用可能であり、数値データＤＢ２１に登録された数値データから抽出又は生成されたデータに所定の必要なテキストが付加されて生成されたエンティティは、自動生成書類と呼ばれる。データと、それに付加されたテキストとを格納するデータシートファイル１３は、自動生成書類を格納した文書ファイル７としてそのまま使用可能である。
【００５３】
一括登録モジュール２４は、作成したデータシートファイル１３を文書管理ＤＢ２３に登録する（ステップＳ０３）。
【００５４】
文書ファイル７とイメージデータファイル８（即ち、図面データファイル８ａ及び画像データファイル８ｂ）とは、ユーザが所定の手順でサーバー機１又は文書／イメージデータ生成端末４を操作することにより、登録可能である（ステップＳ０４、Ｓ０５）。既述のとおり、文書ファイル７とイメージデータファイル８とは、数値データ（即ち、実データ６、解析データ９、及び解析定数データ１０）とインデックス情報によって関連付けられる。文書ファイル７とイメージデータファイル８の登録の過程において、インデックスＤＢ２５にはレコードが新たに用意され、インデックス情報は、そのレコードに登録される（ステップＳ０６）。
【００５５】
図３に示されているように、文書ファイル７を文書管理ＤＢ２３に登録する手順では、まず、登録しようとする文書ファイル７のファイル名がユーザによって指定される（ステップＳ１１）。このとき、文書ファイル７としては、自動生成文書を格納したデータシートファイル１３（即ち、テキストが付加されたデータを格納するデータシートファイル１３）を指定することが可能である。
【００５６】
更に、指定された文書ファイル７に関連付けようとする数値データが、ユーザによって指定される（ステップＳ１２）。数値データの指定は、数値データＤＢ２１に登録されているデータＩＤ、該数値データが生成された期間、その他の要素によって指定可能である。
【００５７】
更に、指定された文書ファイル７に関連するイメージデータファイル８のファイル名がユーザによって指定される（ステップＳ１３）。
【００５８】
更に、これら一連の情報の関連属性となるテキストデータがユーザによって入力される（ステップＳ１４）。
【００５９】
関連属性が入力されると、インデックス情報が生成されてインデックスＤＢ２５に格納される（ステップＳ１５）。インデックス情報の生成と格納とは、下記の過程で行われる。指定された文書ファイル７及びイメージデータファイル８が保存されるロケーションが決定される。更に、指定された文書ファイル７、イメージデータファイル８、及び数値データ（即ち、実データ６、解析データ９、及び解析定数データ１０）のロケーション、及び入力された関連属性とを含むインデックス情報が生成される。数値データのロケーションとしては、既述のように、データＩＤが使用される。更に、インデックスＤＢ２５にはレコードが新たに用意され、生成されたインデックス情報は、該レコードに登録される。
【００６０】
続いて、文書ファイル７とイメージデータファイル８とが、ステップＳ１５において決定されたロケーションに登録される。既述のように、文書ファイル７は、文書管理ＤＢ２３に格納され、イメージデータファイル８は、イメージデータフォルダ２２に格納され、文書ファイル７とイメージデータファイル８との登録が完了する。
【００６１】
このように一連のオブジェクトは、関連付けて登録される。このようにして各種のオブジェクトが登録されることにより、一のオブジェクトが検索されたときに、その一のオブジェクトに関連した他のオブジェクトを同時に検索可能である。
【００６２】
図４から図６は、各種のオブジェクトを検索する手順を示すフローチャートである。オブジェクトの検索は、既述のように、一括検索モジュール２６によって行われる。
【００６３】
図４は、文書ファイル７について検索キーが与えられて文書ファイル７が検索され、更に、検索された文書ファイル７に関連する他のオブジェクトが取り出される過程を示している。文書ファイル７を検索するためには、ユーザは、検索キーをメンテナンス端末２に入力する必要がある（ステップＳ２１）。検索キーが入力されると、メンテナンス端末２は、入力された検索キーを含む検索要求１１をサーバー機１に送信する。
【００６４】
サーバー機１の一括検索モジュール２６は、検索要求１１に応答して、検索要求１１に含まれる検索キーを用いて、文書管理ＤＢ２３に登録されている文書ファイル７を全文検索する（ステップＳ２２）。
【００６５】
一括検索モジュール２６は、全文検索にヒットした文書ファイル７のロケーションのリストを作成し、そのリストをメンテナンス端末２の表示画面に表示する（ステップＳ２３）。
【００６６】
ユーザは、表示画面に表示されたリストを用いて、所望の文書ファイル７を一つ選択することができる（ステップＳ２４）。文書ファイル７が選択されると、いずれの文書ファイル７が選択されたかを示す文書選択情報がサーバー機１に送信される。
【００６７】
一括検索モジュール２６は、メンテナンス端末２から文書選択情報を受信すると、その文書選択情報に示されている文書ファイルに関連付けられているオブジェクト（例えば、実データ６、図面データファイル８ａ、画像データファイル８ｂ、解析データ９、及び解析定数データ１０）のロケーションをインデックスＤＢ２５から取得し、更に、取得されたロケーションのリストをメンテナンス端末２の表示画面に表示する（ステップＳ２５）。
【００６８】
ユーザは、表示画面に表示されたオブジェクトのロケーションのリストから所望のものを選択することができる。更に、ユーザによって選択されたオブジェクトが数値データＤＢ２１、イメージ図面フォルダ２２から取り出される（ステップＳ２６）。
【００６９】
以上の過程により、ユーザは、所望の文書ファイル７を検索し、更に、検索された文書ファイル７に関連する実データ６、画像データファイル８ｂ、解析データ９、及び解析定数データ１０を取得して閲覧することができる。これにより、ユーザは、所望の文書ファイル７の記述の根拠を知りたい場合、それに関連する実データ６、画像データファイル８ｂ、解析データ９、及び解析定数データ１０を取得して閲覧し、その根拠の有無を判断することができる。
【００７０】
図５は、関連属性から所望の文書ファイル７を検索し、更に、検索された文書ファイル７に関連する他のオブジェクトが取り出される過程を示している。関連属性から所望の文書ファイル７を検索するためには、ユーザは、所望の関連属性を検索キーとしてメンテナンス端末２に入力する必要がある（ステップＳ３１）。検索キーとなる関連属性が指定されると、メンテナンス端末２は、入力された検索キーを含む検索要求１１をサーバー機１に送信する。
【００７１】
検索要求１１に応答して、サーバー機１の一括検索モジュール２６は、ユーザによって指定された関連属性を検索キーとしてインデックスＤＢ２５を検索する。（ステップＳ３２）。インデックスＤＢ２５を検索することにより、該関連属性に関連する文書ファイル７が検索され、そのロケーションが取得される。一括検索モジュール２６は、検索された文書ファイル７のロケーションのリストをメンテナンス端末２の表示画面に表示する。
【００７２】
ユーザは、表示画面に表示されたリストを用いて、所望の文書ファイル７を一つ選択する（ステップＳ３３）。文書ファイル７が選択されると、いずれの文書ファイル７が選択されたかを示す文書選択情報がサーバー機１に送信される。
【００７３】
一括検索モジュール２６は、メンテナンス端末２から文書選択情報を受信すると、その文書選択情報に示されている文書ファイルに関連付けられているオブジェクト（例えば、実データ６、図面データファイル８ａ、画像データファイル８ｂ、解析データ９、及び解析定数データ１０）のロケーションをインデックスＤＢ２５から取得し、更に、取得されたロケーションのリストをメンテナンス端末２の表示画面に表示する（ステップＳ３４）。
【００７４】
ユーザは、表示画面に表示されたオブジェクトのロケーションのリストから所望のものを選択することができる。更に、ユーザによって選択されたオブジェクトが数値データＤＢ２１、イメージ図面フォルダ２２から取り出される（ステップＳ３５）。
【００７５】
以上の過程により、ユーザは、関連属性から所望の文書ファイル７を検索し、更に、検索された文書ファイル７に関連する実データ６、図面データファイル８ａ、画像データファイル８ｂ、解析データ９、及び解析定数データ１０を取得して閲覧することができる。
【００７６】
関連属性から文書ファイル７が検索可能であり、更に、それに関連するオブジェクトを取得できることは、異常、又は異常らしき事態が発生したときに、過去の同様の事例に対する対処を迅速に知る上で便利である。例えば、関連属性として、異常の種類が登録されている場合、その種類を示すキーワードを関連属性として入力することにより、その種類の異常が発生したときに作成された文書ファイル７を容易に検索可能である。これにより、ユーザは、過去に同様の事例に対する対処を迅速に知ることができる。更に、検索された文書ファイル７に関連するオブジェクトが閲覧可能であるため、ユーザは、その文書ファイル７に格納されている文書の妥当性を容易に判断できる。
【００７７】
図６は、数値データについて検索条件が与えられて数値データが特定され、更に、特定された数値データに関連する他のオブジェクト、特に、文書ファイル７が取り出される過程を示している。
【００７８】
数値データを特定するためには、ユーザは、検索条件をメンテナンス端末２に入力する必要がある（ステップＳ４１）。検索条件としては、例えば、目的とする数値データが、実データ６、解析データ９のいずれであるか、該数値データのロケーション、該数値データが作成された期間などが使用可能である。検索条件が入力されると、メンテナンス端末２は、入力された検索条件を含む検索要求１１をサーバー機１に送信する。
【００７９】
サーバー機１の一括検索モジュール２６は、検索要求１１に応答して、検索要求１１に含まれる検索条件を用いて、数値データＤＢ２１に登録されている数値データ（即ち、数値データＤＢ２１に登録されている実データ６、解析データ９、解析定数データ１０）を検索し、検索条件を満足する数値データを特定する（ステップＳ４２）。
【００８０】
更に一括検索モジュール２６は、インデックスＤＢ２５を参照して、特定された数値データに関連付けられている文書ファイル７を検索し、検索された文書ファイル７のロケーションをインデックスＤＢ２５から取得する（ステップＳ４３）。一括検索モジュール２６は、更に、取得された文書ファイル７のロケーションのリストをメンテナンス端末２の表示画面に表示する。
【００８１】
ユーザは、表示画面に表示されたリストを用いて、所望の文書ファイル７を一つ選択することができる（ステップＳ４４）。文書ファイル７が選択されると、いずれの文書ファイル７が選択されたかを示す文書選択情報がサーバー機１に送信される。
【００８２】
一括検索モジュール２６は、メンテナンス端末２から文書選択情報を受信すると、その文書選択情報に示されている文書ファイルに関連付けられているオブジェクト（例えば、実データ６、図面データファイル８ａ、画像データファイル８ｂ、解析データ９、及び解析定数データ１０）のロケーションをインデックスＤＢ２５から取得し、更に、取得されたロケーションのリストをメンテナンス端末２の表示画面に表示する（ステップＳ４５）。
【００８３】
ユーザは、表示画面に表示されたオブジェクトのロケーションのリストから所望のものを選択することができる。更に、ユーザによって選択されたオブジェクトが数値データＤＢ２１、イメージ図面フォルダ２２から取り出される（ステップＳ４６）。
【００８４】
以上の過程により、ユーザは、数値データから所望の文書ファイル７を検索し、更に、検索された文書ファイル７に関連する実データ６、画像データファイル８ｂ、解析データ９、及び解析定数データ１０を取得して閲覧することができる。
【００８５】
このような機能は、異常、又は異常らしき事態が発生したときに、過去の同様の事例に対する対処を知ることを容易にする。たとえば、プラントが運転されている間に、あるデータに異常が見出されたとする。この場合、数値データの検索条件として、そのデータが異常である範囲を指定することにより、同様の異常が発生した場合に作成された文書ファイル７を検索して閲覧することができる。これにより、検索された文書ファイル７に格納されている書類から、過去の同様の事例に対する対処を知ることができる。更に、検索された文書ファイル７に関連する実データ６、画像データファイル８ｂ、解析データ９、及び解析定数データ１０を取得して閲覧することにより、ユーザは、検索された文書ファイル７の記述の根拠を知りたい場合、その根拠の有無を判断することができる。
【００８６】
本発明は、本実施の形態に限定されるものでない。例えば、本実施の形態において、関連属性は、インデックスＤＢ２５に登録されるのではなく、文書ファイル７に付加されて文書管理ＤＢ２３に登録されることが可能である。この場合、関連属性から文書ファイル７を検索する過程（図５参照）のステップＳ３２が下記のように修正される。ステップＳ３２においては、ユーザによって与えられた関連属性を検索キーとして文書管理ＤＢ２３が検索され、該関連属性が付加された文書ファイル７が特定される。更に、その文書ファイル７のロケーションが取得され、そのロケーションのリストが生成されてメンテナンス端末２に表示される。他のステップ（Ｓ３１、Ｓ３３〜Ｓ３６）は変更される必要がない。
【００８７】
【発明の効果】
本発明により、異常、又は異常らしき事態が発生したときに、過去の同様の事例に対する対処を迅速に知ることができるように構成されたプラントメンテナンス支援システムが提供される。
また、本発明により、異常、又は異常らしき事態が発生したときに、過去の同様の事例に対する対処を迅速に知ることができると同時に、様々な報告文書の記述が、どのようなデータに基づいて作成されているかを容易に知ることができるように構成されているプラントメンテナンス支援システムが提供される。
また、本発明により、プラントの状態を分析するために必要なデータを一元的に管理するプラントメンテナンス支援システムが提供される。
【図面の簡単な説明】
【図１】図１は、本発明によるプラントメンテナンス支援システムの実施の一形態を示す。
【図２】図２は、一括登録モジュール２４の動作を示すファンクションダイアグラムである。
【図３】図３は、一括登録モジュール２４を使用して各種のオブジェクトを登録するためのプラントメンテナンス支援システムの動作を示すフローチャートである。
【図４】図４は、文書ファイル７について検索キーが与えられて文書ファイル７が検索され、更に、検索された文書ファイル７に関連する他のオブジェクトが取り出される過程を示すフローチャートである。
【図５】図５は、関連属性から所望の文書ファイル７を検索し、更に、検索された文書ファイル７に関連する他のオブジェクトが取り出される過程を示すフローチャートである。
【図６】図６は、数値データについて検索条件が与えられて数値データが特定され、更に、特定された数値データに関連する他のオブジェクト、特に、文書ファイル７が取り出される過程を示すフローチャートである。
【符号の説明】
１：サーバー機
２：メンテナンス端末
３：センサー群
４：文書／イメージデータ生成端末
５：解析・分析システム
６：実データ
７：文書ファイル
８：イメージデータファイル
８ａ：図面データファイル
８ｂ：画像データファイル
９：解析データ
１０：解析定数データ
１１：検索要求
１２：所望の情報
１３：データシートファイル
２１：数値データＤＢ
２２：イメージデータフォルダ
２３：文書管理ＤＢ
２４：一括登録モジュール
２５：インデックスＤＢ
２６：一括検索モジュール
【図１】
2004302920.tif 000003
【図２】
2004302920.tif 000004
【図３】
2004302920.tif 000005
【図４】
2004302920.tif 000006
【図５】
2004302920.tif 000007
【図６】
2004302920.tif 000008